(57)【要約】【課題】外部装置より送信される全ての画像データに対して良好な印刷結果を与えるとともに高速な印刷処理を行う。【解決手段】マスクパターン記憶部６に、１つの印刷パス数（ｎパス：ｎは２以上）につき１パス目からｎパス目までの１組のマスクパターンをｍ組（ｍは２以上）保持しておき、入力画像の印刷の前に、ｍ組のマスクパターンを用いて、その入力画像データの同じ画像データ部分をインタレース印刷したｍ個の画像部分を含むマスクパターン選択チャートを印刷出力する。ユーザはｍ個の画像部分のいずれかの選択入力する。この選択入力に対応するマスクパターンの組を用いて印刷対象の入力画像全体をインタレース印刷する。【選択図】図１
2007022017.tif 000002
【特許請求の範囲】
【請求項１】
印刷対象の画像データを、予め用意されたマスクパターンを用いて間引くことによって印刷パス毎に印刷すべきドットデータを生成し、そのドットデータに基づいて印刷を行うインタレース印刷方式のインクジェット印刷装置であって、
１つの印刷パス数（ｎパス：ｎは２以上）につき１パス目からｎパス目までの１組のマスクパターンを、組毎に異ならせてｍ組（ｍは２以上）保持するマスクパターン記憶手段と、
前記ｍ組のマスクパターンを用いて、印刷対象の入力画像データの同じ画像データ部分をインタレース印刷したｍ個の画像部分を含むマスクパターン選択チャートを印刷出力する選択チャート印刷手段と、
ユーザにより前記ｍ個の画像部分のいずれかの選択入力を受ける入力手段と、
前記選択入力に対応するマスクパターンの組を用いて前記印刷対象の入力画像全体をインタレース印刷する入力画像印刷手段と
を備えたことを特徴とするインクジェット印刷装置。
【請求項２】
印刷対象の画像データの印刷に際して前記マスクパターン選択チャートの印刷出力を行う否かを予め設定する設定手段を備え、前記選択チャート印刷手段は前記設定手段において前記マスクパターン選択チャートの印刷出力を行う旨の設定が行われているとき前記マスクパターン選択チャートの印刷出力を行い、そうでないときは前記マスクパターン選択チャートの印刷出力を行わないことを特徴とする請求項１記載のインクジェット印刷装置。
【請求項３】
前記印刷パス数は印刷モードによって定まることを特徴とする請求項１または２記載のインクジェット印刷装置。
【請求項４】
１つの印刷パス数（ｎパス：ｎは２以上）につき１パス目からｎパス目までの１組のマスクパターンを、組毎に異ならせてｍ組（ｍは２以上）保持するマスクパターンを用意しておき、
印刷対象の画像データの印刷に際して、前記ｍ組のマスクパターンを用いて、印刷対象の入力画像データの同じ画像データ部分をインタレース印刷したｍ個の画像部分を含むマスクパターン選択チャートを印刷出力し、
ユーザにどのマスクパターンの組を用いるかを選択させ、
選択された前記選択入力に対応するマスクパターンの組を用いて前記印刷対象の入力画像全体をインタレース印刷する
ことを特徴とするインクジェット印刷装置の印刷制御方法。
【請求項５】
印刷対象の画像データの印刷に際して前記マスクパターン選択チャートの印刷出力を行う否かを予め設定するステップを備え、前記マスクパターン選択チャートの印刷出力を行う旨の設定が行われているとき前記マスクパターン選択チャートの印刷出力を行い、そうでないときは前記マスクパターン選択チャートの印刷出力を行わないことを特徴とする請求項４記載のインクジェット印刷装置の印刷制御方法。
【請求項６】
前記印刷パス数は印刷モードによって定まることを特徴とする請求項４または５記載のインクジェット印刷装置の印刷制御方法。
【発明の詳細な説明】
【技術分野】
【０００１】
本発明は、いわゆるインタレース印刷方式にて印刷を行う、たとえばインクジェット記録方式を採用したプリンタ、ファクシミリ、複写機等の印刷装置に関する。
【背景技術】
【０００２】
一般に、例えばインクジェットプリンタ等のインクジェット記録方式を採用した印刷装置において、複数のノズルを配列した記録ヘッドを、搬送される用紙の搬送方向とほぼ直交する方向（主走査方向）に移動させつつ記録ヘッドから印刷対象の画像に応じてインク滴を吐出することにより、１つの印刷行（複数の平行した水平ラインから構成される帯状の記録領域：バンド）を形成する。さらに、１バンド分用紙を搬送して次のバンドの印刷を行う。このような処理を繰り返すことにより、１頁分の画像の印刷が完了する。
【０００３】
しかし、このような印刷では、印刷結果において隣り合う印刷行間に、画像データとは無関係に横線が見えるという現象が生じることが知られている。このような現象は「バンディング」と呼ばれる。
【０００４】
インタレース印刷方式は、このようなバンディングを解消するための動作方法である。具体的には、インタレース印刷方式で印刷を行う場合、隣り合う印刷行が一定間隔で部分的に重なるように用紙送りを行い、その際、前の印刷行で意図的に生成した空きドットを後続の印刷行で埋めるようにインクヘッドからインクドットが射出される。
【０００５】
この種のインタレース印刷方式では、図８（ａ）に示すような印刷が行われる。すなわち、あるパスにおいて印刷解像度の整数倍（図８においては２倍）のピッチでドットデータの印刷が行われ、次以降のパスにおいて残りの部分を補完的に印刷する。しかし、図８（ｂ）に示すように、機構的な制約により、隣接するドットラインの間隔ａ１，ａ２について、本来ａ１＝ａ２となるべきところ実際にはａ１≠ａ２となり、この不均一に起因して印刷パスのピッチに対応した行単位の濃淡や白スジ・黒スジが発生する場合があった。
【０００６】
この問題の対策として、通常は１回のパスで印刷できる主走査方向のドット列をさらに分割し、図８（ｃ）に示すように異なるノズルを使用して印刷することで、上記問題点を目立たなくする方式がある。図の例では１回のパスａにおいて、異なるノズルを使用することによりパスａ１，ａ２のように１パスの中でも吐出ドットを分散させている。このような印刷法はシングリング印刷法と呼ばれている。このシングリング印刷法において、主走査方向および副走査方向のドット列をパスごとに割り振る際に、１パス目からｎパス目までの１組のマスクパターンが使用される。マスクパターンの個数は通常パス数に一致する。すなわち、２パスの場合には２個、４パスの場合には４個、等々となる。ＮパスのＮ個のマスクパターンは、それらをすべて重ね合わせれば全ドットが吐出ドットとなるように構成される。
【０００７】
上記マスクパターンを使用したシングリング印刷法では、予め用意された、縦横のドット数およびドット配列について固定されたマスクパターンを使用してドットデータが生成されるために、以下のような問題点があった。
【０００８】
図９は、従来におけるマスクパターンを用いたシングリング印刷法の簡略化した例を示す。図中、格子状に区切られた正方形Ｍ１およびＭ２が、２パス時の１パス目および２パス目のマスクパターンを示す。図中、黒で示されたドットは、対応する印刷パスにおいてマスクされるドット（非吐出ドット）であることを示し、白で示されたドットはマスクされないドット（吐出ドット）であることを示す。マスクパターンＭ１およびＭ２における白黒ドットのパターンはそれぞれを補完する配列となっている。すなわちこれらは２回のパスで印刷を行うシングリング印刷法における各印刷パスにおいて使用されるマスクパターンであることを示す。本例においては、各マスクパターンＭ１およびＭ２における白黒ドットの比率は、それぞれ５０％ずつとなっていり、両者の論理和をとると全ドットが吐出ドットとなる。
【０００９】
ここで、上記のマスクパターンＭ１およびＭ２を使用するシングリング印刷法について、マスクパターンＭ２と全く同一のドット配列を持つ画像Ｇを入力した場合に各印刷パスに出力されるドットデータは、それぞれＤ１およびＤ２となる。すなわち、マスクパターンＭ１に対応した印刷パスにおいては入力画像Ｇがそのまま印刷され、マスクパターンＭ２に対応した印刷パスにおいては何も印刷されない結果となる。この場合、１回のパスで１印刷行の全画像が記録されることにより、実質的にシングリング印刷法が機能していないことになる。そのため、印刷処理における、印刷動作を行わない待ち時間が増加し、却ってバンディングが目立つ結果となる。
【００１０】
このように、従来の固定マスクパターンを使用したシングリング印刷法では、入力される画像パターンによってはバンディングを解消することができず、シングリング印刷法の利点、ひいてはインタレース印刷方式による効果を有効に発揮させることができない場合がある。
【００１１】
また、上記問題点を鑑みて考案された別の従来例として、特許文献１に記載の技術がある。これは、上記の固定マスクパターンを使用せず、１行の画像データを受信するごとに、展開された画像データを元にしてマスクパターンを生成し、これを使用して印刷を行うことで、上記問題点を解消しようとするものである。この従来例によれば、送信された画像データと使用するマスクパターンが同一もしくはそれに近い状態になることはない。
【特許文献１】特開２００１−２９３９０５号公報
【発明の開示】
【発明が解決しようとする課題】
【００１２】
しかし、特許文献１に記載の技術においては、１行の画像データを受信・展開するごとにマスクパターンの生成処理が実行されるため、演算処理が膨大になり、処理時間がかかってしまう。その結果、やはり印刷処理において、印刷を行わない待ち時間が増加し、却ってバンディングが目立つ結果となる問題点があった。
【００１３】
従って上記従来例では、全ての送信される画像データに対して良好な印刷結果を与えることと、高速な印刷処理を行うことを両立させることは難しかった。
【００１４】
本発明は上記問題点に鑑みてなされたもので、外部装置より送信される画像データに対して良好な印刷結果を与えるとともに高速な印刷処理を行うことができる記録装置を提供することを目的とする。
【課題を解決するための手段】
【００１５】
本発明によるインクジェット印刷装置は、印刷対象の画像データを、予め用意されたマスクパターンを用いて間引くことによって印刷パス毎に印刷すべきドットデータを生成し、そのドットデータに基づいて印刷を行うインタレース印刷方式のインクジェット印刷装置であって、１つの印刷パス数（ｎパス：ｎは２以上）につき１パス目からｎパス目までの１組のマスクパターンを、組毎に異ならせてｍ組（ｍは２以上）保持するマスクパターン記憶手段と、前記ｍ組のマスクパターンを用いて、印刷対象の入力画像データの同じ画像データ部分をインタレース印刷したｍ個の画像部分を含むマスクパターン選択チャートを印刷出力する選択チャート印刷手段と、ユーザにより前記ｍ個の画像部分のいずれかの選択入力を受ける入力手段と、前記選択入力に対応するマスクパターンの組を用いて前記印刷対象の入力画像全体をインタレース印刷する入力画像印刷手段とを備えたことを特徴とする。
【００１６】
すなわち、入力画像の印刷に際して、選択チャート印刷手段は、当該入力画像の同じ画像部分を異なるｍ組のマスクパターンを用いてマスクパターン選択チャートを印刷出力し、ユーザにその印刷出力されたｍ個の画像部分の印刷結果からどのマスクパターンの組を用いるかを選択入力させる。入力画像印刷手段は、この選択入力に対応するマスクパターンの組を用いて前記印刷対象の入力画像全体をインタレース印刷する。これにより、当該入力画像（画像部分）に最も適したマスクパターンの組を用いてインタレース印刷を行うことが可能となる。
【００１７】
前記インクジェット印刷装置は、印刷対象の画像データの印刷に際して前記マスクパターン選択チャートの印刷出力を行う否かを予め設定する設定手段を備えてもよく、この場合、前記選択チャート印刷手段は前記設定手段において前記マスクパターン選択チャートの印刷出力を行う旨の設定が行われているとき前記マスクパターン選択チャートの印刷出力を行い、そうでないときは前記マスクパターン選択チャートの印刷出力を行わない。
【００１８】
前記印刷パス数は印刷モードによって定めることができ、この場合、使用する印刷パス数は印刷モードの選択により定まる。
【００１９】
インクジェット印刷装置の印刷制御方法は、１つの印刷パス数（ｎパス：ｎは２以上）につき１パス目からｎパス目までの１組のマスクパターンを、組毎に異ならせてｍ組（ｍは２以上）保持するマスクパターンを用意しておき、印刷対象の画像データの印刷に際して、前記ｍ組のマスクパターンを用いて、印刷対象の入力画像データの同じ画像データ部分をインタレース印刷したｍ個の画像部分を含むマスクパターン選択チャートを印刷出力し、ユーザにどのマスクパターンの組を用いるかを選択させ、選択された前記選択入力に対応するマスクパターンの組を用いて前記印刷対象の入力画像全体をインタレース印刷することを特徴とする。
【発明の効果】
【００２０】
本発明によれば、印刷対象の画像データごとに、複数組のマスクパターンのうちから最も適切なものを印刷前に選択することが可能となる。
【００２１】
また、マスクパターン選択チャートのテスト出力についても送信した画像について行われるため、複数組のマスクパターンのうち最も適切なものを選択することが容易となる。
【００２２】
また、マスクパターンの組は予め容易されており、印刷に際してマスクパターンを新規に生成することがないため、本発明により印刷処理にオーバヘッドがかからない。
【発明を実施するための最良の形態】
【００２３】
以下、添付図面を参照して本発明の好適な実施の形態について詳細に説明する。
【００２４】
図１は、本発明の実施の形態に係る印刷装置１００の概略の機能構成を示す機能ブロック図である。
【００２５】
図１において、印刷装置１００は、パーソナルコンピュータ（ＰＣ）等の外部から印刷装置１００に大して印刷設定コマンドおよび印刷対象の画像データ（印刷データ）を送信する外部装置としてのホストコンピュータ１に有線または無線により接続される。
【００２６】
印刷装置１００は、インタフェース部２、受信バッファ３、画像データ制御部４、プリンタエンジン５、マスクパターン選択部７、操作部８、記憶装置９を有する。
【００２７】
受信バッファ３は、入力インタフェース部２を介してホストコンピュータ１から入力された画像データを一時記憶（バッファリング）し、適宜画像データ制御部４に出力する。
【００２８】
画像データ制御部４は、受信バッファ３から入力された画像データが多値データである場合は２値化処理を行い、入力された画像データが２値データである場合は変換処理を行わずにプリンタエンジン５に出力する。
【００２９】
画像データ制御部４は、また、印刷処理開始時には以下に記述する特殊処理を行い、ユーザにマスクパターンを選択させるための印刷シートであるマスクパターン選択チャートを出力する。具体的には、印刷開始時に、決定された印刷パス数を後述するマスクパターン選択部７に出力する。マスクパターン選択部７は、入力された印刷パス数に従い、該当する印刷モードの持つマスクパターンの組すべてを画像データ制御部４に出力する。画像データ制御部４は、このすべてのマスクパターンの組を使用し、受信バッファ３に記憶されている画像データの一部を使用して後述するマスクパターン選択チャートを作成し、プリンタエンジン５に出力する。この後、マスクパターン選択部７により実際の印刷に使用するマスクパターンが選択され、通知されることによって、正式な印刷処理を開始する。
【００３０】
プリンタエンジン５は、画像データ制御部４より出力された画像データの印刷処理を行う。この時、複数パス印刷に使用するマスクパターンはマスクパターン選択部７より出力されたものを使用する。
【００３１】
記憶装置９は、マスクパターン記憶部６を有する。マスクパターン記憶部６は、印刷装置１００の持つ印刷モード全てに対応する印刷パス数（例えば、２パス、４パス、８パス等）の各々について、１パス目からｎパス目までの１組のマスクパターンを複数組（ここでは、各４組とする）記憶している。印刷モードがｍ種類である場合、図１のｍ個の記憶領域６０１〜６０ｍに示すように、各印刷モードが４種類のマスクパターンを持つ構造の配列として定義される。また、操作部８からユーザによって入力されたマスクパターン選択チャート印刷有無６１１が記憶される。
【００３２】
マスクパターン選択部７は、印刷処理開始時に画像データ制御部４より出力された印刷モードと、後述する操作部８から入力されたユーザの選択したマスクパターン番号に従い、印刷処理に使用するマスクパターンを決定し、マスクパターン記憶部６からマスクパターンを読み出し、プリンタエンジン５に出力する。また、印刷開始時にマスクパターン選択チャートを印刷するかどうかの設定をマスクパターン記憶部６に記憶させ、印刷処理開始時に参照する。
【００３３】
操作部８は、ユーザが入力を行うために使用するキー類および、各種データの表示を行うＬＣＤやＬＥＤを使用した表示装置から構成される。操作部８においては、予めユーザからマスクパターン選択チャート印刷有無の設定情報が入力されており、この設定はマスクパターン選択部７を通じてマスクパターン記憶部６にマスクパターン選択チャート印刷の有無６１１として記憶される。
【００３４】
図２は、本実施の形態の印刷装置における印刷手順を示すフローチャートである。この処理は画像データ制御部４を構成するＣＰＵがメモリに格納されている制御プログラムを読み出して実行することにより実現される。
【００３５】
まずステップＳ１において、ホストコンピュータ１から入力インタフェース部２を介して画像データが送信されてくるる。画像データは受信バッファ３に記憶され、適宜画像データ制御部４によって読み出される。
【００３６】
次に、ステップＳ２において、画像データ制御部４によって画像データに記述された印刷モードが読み込まれ、印刷パス数が決定される。印刷パス数はマスクパターン選択部７に通知される。
【００３７】
次にステップＳ３において、マスク選択モードが設定されているかどうかをチェックする。すなわち、操作部８において入力され、マスクパターン選択部７を通じてマスクパターン記憶部６に記憶されているマスクパターン選択チャート印刷有無の設定がマスクパターン選択部７によって読み出され、マスクパターン選択チャートを印刷するか否かが決定される。
【００３８】
マスクパターン選択チャートが印刷されない設定である場合、マスクパターン選択部７はデフォルトのマスクパターンを選択し、マスクパターン記憶部６から該当するマスクパターンを読み出し、ステップＳ７に移行する。
【００３９】
マスクパターン選択チャートの印刷を行う設定である場合、マスクパターン選択部７は画像データ制御部４にマスクパターン選択チャート印刷を行う旨の通知を行った後、上記決定された印刷パス数に対応するすべてのマスクパターンを読み出し、プリンタエンジン５に出力する。
【００４０】
次にステップＳ４において、マスク選択チャートを印刷する。すなわち、画像データ制御部４は受信バッファ３に保存されている画像データの一部を取り出し、使用するマスクパターンを図１におけるパターン１に設定し、プリンタエンジン５に出力する。同様にパターン２〜４についても、同じ画像データの一部を取り出し、使用するマスクパターンをそれぞれに設定し、プリンタエンジン５に出力する。プリンタエンジン５は、画像データ制御部４から入力された画像データとマスクパターン番号を使用して、マスクパターン選択チャートの印刷を行う。
【００４１】
次にステップＳ５において、マスクパターン選択部７は印刷されたマスクパターンに対してユーザからのマスクパターン選択入力が行われたかどうかを監視する。操作部８を通じて選択入力が行われている場合、入力されたマスクパターン番号に対応するマスクパターンを読み出し、ステップＳ７に移行する。
【００４２】
入力が行われていない場合、一定時間ごとにステップＳ６に移行する。ステップＳ６においては、印刷キャンセル等のイベントが発生したかどうかを監視する。イベントが発生した場合、適宜対応する処理を行う。
【００４３】
ステップＳ７においては、ステップＳ５またはＳ３においてマスクパターン選択部７によって決定したマスクパターン番号に対応するマスクパターンをプリンタエンジン５に出力し、ステップＳ８に移行する。
【００４４】
ステップＳ８においては、画像データ制御部４は受信バッファ３から順次画像データを読み出し、通常印刷処理を行う。
【００４５】
図３は、マスクパターン記憶部６において例えば記憶領域６０１に対応する印刷モード（２パス）の４種のマスクパターンの例を示す。この図では、便宜上、４種のマスクパターンはそれぞれ１パス目のみを示している。マスクパターンＭ０１は単純な市松模様マスクを示す。Ｍ０２は画像水平方向に特化したマスクを示す。Ｍ０３は画像垂直方向に特化したマスクを示す。Ｍ０４はランダムなマスクを示す。なお、この図に示したマスクパターンは８×８サイズに単純化したもので、このサイズのマスクパターンが記憶されているわけではない。
【００４６】
図４は、ホストコンピュータ１から印刷装置に入力される画像データの一例を示す。ここで、４０１は後述するマスクパターン選択チャートを作成するのに使用される画像の一部分の一例を示す。ここでは、画像左上端より水平方向１０ｃｍ・垂直方向５ｃｍ程度内側より始まる画像の一部をサンプルとしている。これは、画像左上端から始まる画像では空白部分が連続して存在する場合があり、サンプルとして適当ではないと考えられるためである。但し、この位置およびサイズはあくまで例示であり、これらに限るものではない。また、ユーザがサンプリングする位置やサイズを指定できようにすることも可能である。
【００４７】
図５は、ユーザの設定内容に応じて正式の印刷開始前に印刷出力されるマスクパターン選択チャートの一例を示す。ここでは、図４に示した画像領域４０１のサンプルとした例を示している。チャートＤ０１は上記した図３のマスクパターンＭ０１を使用して印刷したものである。同様に、チャートＤ０２は図３のマスクパターンＭ０２を、チャートＤ０３は図３のマスクパターンＭ０３を、チャートＤ０４は図３のマスクパターンＭ０４を使用して印刷したものである。ユーザは、このチャートを参照し、最も好ましい印刷結果のチャート番号を操作部８から入力することにより、これから行おうとする印刷において使用すべきマスクパターン（の組）を選択入力する。
【００４８】
図６は、操作部８のＬＣＤ表示装置上に表示されるマスクパターン選択チャート印刷有無の設定を行う画面６００の一例である。この画面の上段表示６１１における表示「Ｍａｓｋ  Ｓｅｌｅｃｔ」は、この画面６００がマスクパターン選択チャート印刷有無の設定を行う画面であることを示している。印刷を行う設定の場合は、下段表示６１２および６２２は、択一的にそれぞれＯＮ（印刷を行う）およびＯＦＦ（印刷を行わない）の表示が行われる。ユーザは、操作部８に付随する、図示されない入力キーによって本設定の選択・決定を行うことが可能となっている。
【００４９】
図７は、マスクパターン選択チャートが印刷された後に操作部８のＬＣＤ表示装置上に自動的に表示されるマスクパターンの選択を行う画面７００の一例である。この画面の上段表示７１１における表示「Ｐｒｉｎｔｉｎｇ」は、この画面７００がマスクパターン（番号）の選択を行う画面であることを示している。下段表示７１２，７２２，７３２，７４２は異なるマスクパターン（番号）を示している。図６の場合と同様に、ユーザは図示されない入力キーによってマスクパターン選択チャート上の番号１〜４に対応する番号を入力することが可能になっている。
【００５０】
ユーザは印刷出力されたマスクパターン選択チャートを参照し、最も適正に出力されていると考えられる画像に付随する番号を本画面上で入力し、実際の印刷に使用するマスクパターン（の組）が決定される。
【産業上の利用可能性】
【００５１】
本発明は、いわゆるインタレース印刷方式にて印刷を行う、たとえばインクジェットプリンタ等の印刷装置に利用することができる。
【図面の簡単な説明】
【００５２】
【図１】図１は、本発明の実施の形態に係る印刷装置１００の概略の機能構成を示す機能ブロック図である。
【図２】本発明の実施の形態の印刷装置における印刷手順を示すフローチャートである。
【図３】本発明の実施の形態における印刷モード（２パス）の４種のマスクパターンの例を示す図である。
【図４】本発明の実施の形態においてホストコンピュータから印刷装置に入力される画像データの一例を示す図である。
【図５】本発明の実施の形態においてユーザの設定内容に応じて正式の印刷開始前に印刷出力されるマスクパターン選択チャートの一例を示す図である。
【図６】本発明の実施の形態においてＬＣＤ表示装置上に表示されるマスクパターン選択チャート印刷有無の設定を行う画面の一例を示す図である。
【図７】本発明の実施の形態においてマスクパターン選択チャートが印刷された後にＬＣＤ表示装置上に自動的に表示されるマスクパターンの選択を行う画面の一例を示す図である。
【図８】インタレース印刷方式の説明図である。
【図９】従来におけるマスクパターンを用いたシングリング印刷法の簡略化した例を示す図である。
【符号の説明】
【００５３】
１…ホストコンピュータ
２…入力インタフェース部（Ｉ／Ｆ）
３…受信バッファ
４…画像データ制御部
５…プリンタエンジン
６…マスクパターン記憶部
７…マスクパターン選択部
８…操作部
９…記憶装置
【図１】
2007022017.tif 000003
【図２】
2007022017.tif 000004
【図３】
2007022017.tif 000005
【図４】
2007022017.tif 000006
【図５】
2007022017.tif 000007
【図６】
2007022017.tif 000008
【図７】
2007022017.tif 000009
【図８】
2007022017.tif 000010
【図９】
2007022017.tif 000011